(57)【要約】      （修正有）【課題】低電圧バッテリを使用した場合であっても、低回転域での高トルクによる駆動アシストと高回転域での同期駆動を両立することが可能なモータ制御方法及びモータ制御システムを提供する。【解決手段】低電圧バッテリ２０に接続され、最大トルク発生時のリラクタンストルクが磁気トルク以上であり、かつ、ロータがエンジンの出力軸に連結されたモータを制御することを特徴とする、モータ制御方法及びモータ制御システムが提供される。また、前記低電圧バッテリの電圧は６０Ｖ以下であることを特徴とする。【選択図】図１
2014151700.tif 000002
【特許請求の範囲】
【請求項１】
低電圧バッテリに接続され、最大トルク発生時のリラクタンストルクが磁気トルク以上であり、かつ、ロータがエンジンの出力軸に連結されたモータを制御することを特徴とする、モータ制御方法。
【請求項２】
前記低電圧バッテリの電圧は６０Ｖ以下であることを特徴とする、請求項１記載のモータ制御方法。
【請求項３】
前記エンジンに燃料が供給されることによって前記出力軸が低回転域で回転している際、及び、前記エンジンに燃料が供給されることによって前記出力軸が高回転域で回転している際に、前記低電圧バッテリから前記モータに電力を供給することで、前記出力軸に前記出力軸の回転方向と同一方向のトルクを付与することを特徴とする、請求項１または２記載のモータ制御方法。
【請求項４】
前記出力軸が低回転域で回転している際に前記出力軸に供給するトルクを、前記出力軸が高回転域で回転している際に前記出力軸に供給するトルクよりも大きくすることを特徴とする、請求項３記載のモータ制御方法。
【請求項５】
前記出力軸が低回転域で減速している際、及び前記出力軸が高回転域で減速している際に、前記モータから回生電力を回収し、前記低電圧バッテリに供給することを特徴とする、請求項１〜４のいずれか１項に記載のモータ制御方法。
【請求項６】
前記出力軸が高回転域での減速トルクよりも大きな減速トルクにより低回転域で減速している際に、前記モータから回生電力を回収し、前記低電圧バッテリに供給することを特徴とする、請求項５記載のモータ制御方法。
【請求項７】
前記ロータは前記出力軸に直結されていることを特徴とする、請求項１〜６のいずれか１項に記載のモータ制御方法。
【請求項８】
前記ロータは、前記出力軸の両端部のうち、ギアボックスが連結される端部と反対側の端部に直結されることを特徴とする、請求項７記載のモータ制御方法。
【請求項９】
前記エンジンが停止している際に、前記低電圧バッテリから前記モータに電力を供給することで、前記出力軸を回転させることを特徴とする、請求項７または８記載のモータ制御方法。
【請求項１０】
低電圧バッテリに接続され、最大トルク発生時のリラクタンストルクが磁気トルク以上であり、かつ、ロータがエンジンの出力軸に連結されたモータと、
前記モータを制御する制御部と、を備えることを特徴とする、モータ制御システム。
【請求項１１】
前記低電圧バッテリの電圧は６０Ｖ以下であることを特徴とする、請求項１０記載のモータ制御システム。
【請求項１２】
前記制御部は、前記エンジンに燃料が供給されることによって前記出力軸が低回転域で回転している際、及び、前記エンジンに燃料が供給されることによって前記出力軸が高回転域で回転している際に、前記低電圧バッテリから前記モータに電力を供給することで、前記出力軸に前記出力軸の回転方向と同一方向のトルクを付与することを特徴とする、請求項１０または１１記載のモータ制御システム。
【請求項１３】
前記制御部は、前記出力軸が低回転域で回転している際に前記出力軸に供給するトルクを、前記出力軸が高回転域で回転している際に前記出力軸に供給するトルクよりも大きくすることを特徴とする、請求項１２記載のモータ制御システム。
【請求項１４】
前記制御部は、前記出力軸が低回転域で減速している際、及び前記出力軸が高回転域で減速している際に、前記モータから回生電力を回収し、前記低電圧バッテリに供給することを特徴とする、請求項１０〜１３のいずれか１項に記載のモータ制御システム。
【請求項１５】
前記制御部は、前記出力軸が高回転域での減速トルクよりも大きな減速トルクにより低回転域で減速している際に、前記モータから回生電力を回収し、前記低電圧バッテリに供給することを特徴とする、請求項１４記載のモータ制御システム。
【請求項１６】
前記ロータは前記出力軸に直結されていることを特徴とする、請求項１０〜１５のいずれか１項に記載のモータ制御システム。
【請求項１７】
前記ロータは、前記出力軸の両端部のうち、ギアボックスが連結される端部と反対側の端部に直結されることを特徴とする、請求項１６記載のモータ制御システム。
【請求項１８】
前記制御部は、前記エンジンが停止している際に、前記低電圧バッテリから前記モータに電力を供給することで、前記出力軸を回転させることを特徴とする、請求項１６または１７記載のモータ制御システム。
【請求項１９】
請求項１０〜１８のいずれか１項に記載のモータ制御システムを備えることを特徴とする、自動車。
【発明の詳細な説明】
【技術分野】
【０００１】
本発明は、モータ制御方法及びモータ制御システムに関する。
【背景技術】
【０００２】
例えば特許文献１に開示されているように、自動車のハイブリッドシステムが知られている。ハイブリッドシステムは、駆動源としてエンジンの他にモータを備えている。そして、ハイブリッドシステムは、エンジンに燃料が供給されることによってクランクシャフトが低回転域で回転している際に、モータでクランクシャフトの回転をアシストする。エンジンは、低回転域でのトルクが小さい傾向にある一方、モータは低回転域から大きなトルクを発生することができる。このため、モータは、クランクシャフトが低回転域で回転する際にクランクシャフトの回転を効率良くアシストすることができる。また、ハイブリッドシステムは、クランクシャフトの減速時にモータを発電機として機能させ、モータから回生電力を回収する。また、ハイブリッドシステムは、自動車の停車時にアイドルストップを行い、その後、モータを用いてエンジンの再始動を行う。
【先行技術文献】
【特許文献】
【０００３】
【特許文献１】特開２００１−３３９８０４号公報
【発明の概要】
【発明が解決しようとする課題】
【０００４】
しかし、従来のハイブリッドシステムで使用されるモータは、ロータの回転数の上昇に伴って逆起電圧（逆起電力）が非常に大きくなるという問題があった。バッテリとモータとを連結するインバータが何らかの原因で故障した場合、モータから発生した逆起電圧はバッテリに作用する。このため、バッテリの耐電圧が低い場合、モータから発生した逆起電圧によってバッテリが故障する場合がある。
【０００５】
このため、一部のハイブリッドシステム（具体的には、モータだけで自動車の発進加速が可能なストロングハイブリッドシステム、モータをエンジン駆動のアシストのみに使うマイルドハイブリッドシステム）では、バッテリの耐電圧を大きくしている。これらのハイブリッドシステムでは、バッテリの耐電圧が大きいので、モータを高回転域まで回転させることができる。言い換えれば、これらのハイブリッドシステムは、クランクシャフトの高回転域でも、モータをクランクシャフトの回転に同期させて駆動することができる。しかし、これらのハイブリッドシステムでは、バッテリが大型化、高コスト化し、バッテリの取り扱いが難しくなるという別の問題があった。
【０００６】
一方、近年、ストロングハイブリッド及びマイルドハイブリッド以外のハイブリッドシステムとして、マイクロハイブリッドシステムが提案されている。マイクロハイブリッドシステムでは、低電圧バッテリ（例えば電圧が３０〜６０Ｖ程度のバッテリ）を使用してモータを駆動する。
【０００７】
しかし、マイクロハイブリッドシステムでは、耐電圧の低い低電圧バッテリを使用するため、ストロングハイブリッドシステム等で使用されるモータよりも出力が小さいモータを使用せざるを得なかった。例えば、ストロングハイブリッドシステムでは、モータの最高出力は例えば６０ｋＷとなるのに対し、マイクロハイブリッドシステムでは、モータの最高出力は例えば１．８ｋＷ程度となる。その上で、マイクロハイブリッドシステムでは、モータの用途がエンジン始動（アイドルストップ後のエンジン再始動含む）、クランクシャフトが中回転域または高回転域で減速する際の回生電力回収に限定されていた。すなわち、マイクロハイブリッドシステムでは、逆起電圧によるバッテリの故障を防止するために、クランクシャフトが高回転域で回転する際にモータによるアシストを行わなかった。言い換えれば、従来のマイクロハイブリッドシステムは、クランクシャフトが高回転域で回転する際に、モータをクランクシャフトの回転に同期させて駆動することができなかった。
【０００８】
さらに、マイクロハイブリッドシステムでは、モータの出力が小さい（すなわちトルクが小さい）ので、クランクシャフトが低回転域で回転する際にもモータによるアシストを行うことができなかった。
【０００９】
そこで、本発明は、上記問題に鑑みてなされたものであり、本発明の目的とするところは、低電圧バッテリを使用した場合であっても、低回転域での高トルクによる駆動アシストと高回転域での同期駆動を両立することが可能な、新規かつ改良されたモータ制御方法及びモータ制御システムを提供することにある。
【課題を解決するための手段】
【００１０】
上記課題を解決するために、本発明のある観点によれば、低電圧バッテリに接続され、最大トルク発生時のリラクタンストルクが磁気トルク以上であり、かつ、ロータがエンジンの出力軸に連結されたモータを制御することを特徴とする、モータ制御方法が提供される。
【００１１】
この観点によるモータ制御方法は、低電圧バッテリに接続され、最大トルク発生時のリラクタンストルクが磁気トルク以上であり、かつ、ロータがエンジンの出力軸に連結されたモータを制御する。これにより、本観点に係るモータ制御方法は、低回転域での高トルクによる駆動アシストと高回転域での同期駆動を両立することが可能となる。
【００１２】
ここで、低電圧バッテリの電圧は６０Ｖ以下であってもよい。
【００１３】
この観点によれば、低電圧バッテリの電圧は６０Ｖ以下であるので、低電圧バッテリの取り扱いが容易となり、かつ、システム構成が簡略化される。なお、この場合であっても、モータは上記の構成を有するので、低回転域での高トルクによる駆動アシストと高回転域での同期駆動とが両立可能となる。
【００１４】
また、エンジンに燃料が供給されることによって出力軸が低回転域で回転している際、及び、エンジンに燃料が供給されることによって出力軸が高回転域で回転している際に、低電圧バッテリからモータに電力を供給することで、出力軸に出力軸の回転方向と同一方向のトルクを付与するようにしてもよい。
【００１５】
この観点によるモータ制御方法は、出力軸が低回転域で回転している際、及び高回転域で回転している際のいずれにおいても、出力軸の回転をアシストすることができる。
【００１６】
また、出力軸が低回転域で回転している際に出力軸に供給するトルクを、出力軸が高回転域で回転している際に出力軸に供給するトルクよりも大きくするようにしてもよい。
【００１７】
この観点によるモータ制御方法は、出力軸が低回転域で回転している際には、出力軸が高回転域で回転している際に出力軸に供給するトルクよりも大きなトルクを出力軸に供給する。したがって、本観点では、低回転域でより力強いアシストを行うことができる。
【００１８】
また、出力軸が低回転域で減速している際、及び出力軸が高回転域で減速している際に、モータから回生電力を回収し、低電圧バッテリに供給するようにしてもよい。
【００１９】
この観点によるモータ制御方法は、出力軸が低回転域で減速している際、高回転域で減速している際のいずれにおいても、モータから回生電力を回収することができる。
【００２０】
また、出力軸が高回転域での減速トルクよりも大きな減速トルクにより低回転域で減速している際に、モータから回生電力を回収し、低電圧バッテリに供給するようにしてもよい。
【００２１】
この観点によるモータ制御方法は、出力軸が高回転域での減速トルクよりも大きな減速トルクにより低回転域で減速している際に、モータから回生電力を回収する。したがって、モータ制御方法は、低回転域でより効率良く回生電力を回収することができる。
【００２２】
また、ロータは出力軸に直結されていてもよい。
【００２３】
この観点によれば、ロータは出力軸に直結されているので、この観点によるモータ制御方法は、ロータから出力軸に効率良くトルクを供給することができ、かつ、回生電力を効率良く回収することができる。
【００２４】
また、ロータは、出力軸の両端部のうち、ギアボックスが連結される端部と反対側の端部に直結されていてもよい。
【００２５】
この観点では、ロータは、出力軸の両端部のうち、ギアボックスが連結される端部と反対側の端部に直結されるので、エンジンとギアボックスとの既存の連結機構に大きな変更を加えることなく、本観点に係るシステムを自動車に導入することができる。
【００２６】
また、エンジンが停止している際に、低電圧バッテリからモータに電力を供給することで、出力軸を回転させるようにしてもよい。
【００２７】
したがって、この観点によるモータ制御方法は、エンジン始動を行う。ここで、上述したように、ロータと出力軸とは直結されているので、モータ制御方法は、エンジン始動時にモータのトルクを効率良く出力軸に伝達することができる。すなわち、モータ制御方法は、より小さい電流で大きなトルクを出力軸に伝達することができる。これにより、モータ制御方法は、例えばコールドクランキング時のエンジン始動を安定して行うことができる。
【００２８】
本発明の他の観点によれば、低電圧バッテリに接続され、最大トルク発生時のリラクタンストルクが磁気トルク以上であり、かつ、ロータがエンジンの出力軸に連結されたモータと、モータを制御する制御部と、を備えることを特徴とする、モータ制御システムが提供される。
【００２９】
この観点によるモータ制御システムは、低電圧バッテリに接続され、最大トルク発生時のリラクタンストルクが磁気トルク以上であり、かつ、ロータがエンジンの出力軸に連結されたモータを制御する。これにより、本観点に係るモータ制御システムは、低回転域での高トルクによる駆動アシストと高回転域での同期駆動を両立することが可能となる。
【００３０】
ここで、低電圧バッテリの電圧は６０Ｖ以下であってもよい。
【００３１】
この観点によれば、低電圧バッテリの電圧は６０Ｖ以下であるので、低電圧バッテリの取り扱いが容易となり、かつ、システム構成が簡略化される。なお、この場合であっても、モータは上記の構成を有するので、低回転域での高トルクによる駆動アシストと高回転域での同期駆動とが両立可能となる。
【００３２】
また、制御部は、エンジンに燃料が供給されることによって出力軸が低回転域で回転している際、及び、エンジンに燃料が供給されることによって出力軸が高回転域で回転している際に、低電圧バッテリからモータに電力を供給することで、出力軸に出力軸の回転方向と同一方向のトルクを付与するようにしてもよい。
【００３３】
この観点によるモータ制御システムは、出力軸が低回転域で回転している際、及び高回転域で回転している際のいずれにおいても、出力軸の回転をアシストすることができる。
【００３４】
また、制御部は、出力軸が低回転域で回転している際に出力軸に供給するトルクを、出力軸が高回転域で回転している際に出力軸に供給するトルクよりも大きくするようにしてもよい。
【００３５】
この観点によるモータ制御システムは、出力軸が低回転域で回転している際には、出力軸が高回転域で回転している際に出力軸に供給するトルクよりも大きなトルクを出力軸に供給する。したがって、本観点では、低回転域でより力強いアシストを行うことができる。
【００３６】
また、制御部は、出力軸が低回転域で減速している際、及び出力軸が高回転域で減速している際に、モータから回生電力を回収し、低電圧バッテリに供給するようにしてもよい。
【００３７】
この観点によるモータ制御システムは、出力軸が低回転域で減速している際、高回転域で減速している際のいずれにおいても、モータから回生電力を回収することができる。
【００３８】
また、制御部は、出力軸が高回転域での減速トルクよりも大きな減速トルクにより低回転域で減速している際に、モータから回生電力を回収し、低電圧バッテリに供給するようにしてもよい。
【００３９】
この観点によるモータ制御システムは、出力軸が高回転域での減速トルクよりも大きな減速トルクにより低回転域で減速している際に、モータから回生電力を回収する。したがって、モータ制御システムは、低回転域での大トルクによる減速時、及び高回転域での減速時のいずれであっても回生電流を回収できる。
【００４０】
また、ロータは出力軸に直結されていていてもよい。
【００４１】
この観点によれば、ロータは出力軸に直結されているので、この観点によるモータ制御システムは、ロータから出力軸に効率良くトルクを供給することができ、かつ、回生電力を効率良く回収することができる。
【００４２】
また、ロータは、出力軸の両端部のうち、ギアボックスが連結される端部と反対側の端部に直結されていてもよい。
【００４３】
この観点では、ロータは、出力軸の両端部のうち、ギアボックスが連結される端部と反対側の端部に直結されるので、エンジンとギアボックスとの既存の連結機構に大きな変更を加えることなく、本観点に係るシステムを自動車に導入することができる。
【００４４】
また、制御部は、エンジンが停止している際に、低電圧バッテリからモータに電力を供給することで、出力軸を回転させるようにしてもよい。
【００４５】
したがって、この観点によるモータ制御システムは、エンジン始動を行う。ここで、上述したように、ロータと出力軸とは直結されているので、モータ制御システムは、エンジン始動時にモータのトルクを効率良く出力軸に伝達することができる。すなわち、モータ制御システムは、より小さい電流で大きなトルクを出力軸に伝達することができる。これにより、モータ制御システムは、例えばコールドクランキング時のエンジン始動を安定して行うことができる。
【００４６】
本発明の他の観点によれば、上記に記載のモータ制御システムを備えることを特徴とする、自動車が提供される。
【００４７】
この観点によれば、自動車を効率良く駆動することができる。
【発明の効果】
【００４８】
以上説明したように本発明によれば、低電圧バッテリに接続され、最大トルク発生時のリラクタンストルクが磁気トルク以上であり、かつ、ロータがエンジンの出力軸に連結されたモータを制御する。これにより、本発明は、低回転域での高トルクによる駆動アシストと高回転域での同期駆動を両立することが可能となる。
【図面の簡単な説明】
【００４９】
【図１】本発明の実施形態に係るモータ制御システムの構成を示すブロック図である。
【図２】モータとエンジンとの連結構造を概略的に示す説明図である。
【図３】モータのロータとクランクシャフトとの連結構造を詳細に示す説明図である。
【図４】本実施形態に係るモータの特性（回転数とトルクとの対応関係）を示すグラフである。
【図５】永久磁石リラクタンスモータと他のモータとの特性（回転数と逆起電圧との対応関係）を対比して示すグラフである。
【発明を実施するための形態】
【００５０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。また、本実施形態では、本発明の一態様として、自動車用のハイブリッドシステム（モータ制御システム）１０を説明するが、他のシステムに本発明を適用しても良いことはもちろんである。なお、本実施形態では、低回転域は例えば０以上３０００ｒｐｍ未満の回転領域を示し、中回転域は３０００ｒｐｍ以上４５００ｒｐｍ未満の回転領域を示し、高回転域は４５００ｒｐｍ以上の回転領域を示す。もちろん、各回転域はこれらの数値範囲に限定されない。
【００５１】
＜１．背景技術の検討＞
本発明者は、背景技術、特にマイクロハイブリッドシステムに使用されるモータについて鋭意検討した結果、本実施形態に係るモータ制御システムに想到した。以下、本発明者が行った検討について説明する。
【００５２】
マイクロハイブリッドシステムでは、上述したように、低電圧バッテリ（例えば３０〜６０Ｖ）を使用する。これにより、バッテリを小型化、低コスト化することができる。さらに、例えば自動車に６０Ｖよりも大きい電圧のバッテリを搭載する場合、ユーザがバッテリに簡単に触れることができないように、バッテリを十分に覆うことが義務付けられている。したがって、自動車に６０Ｖよりも大きい電圧のバッテリを搭載する場合、バッテリの取り扱いが難しくなり、かつ、ハイブリッドシステムの構成が複雑になるという問題があった。
【００５３】
しかし、バッテリの電圧が６０Ｖ以下であれば、このような構造は必要ない。したがって、ハイブリッドシステムのバッテリの電圧を６０Ｖ以下とすることで、バッテリの取り扱いが容易となり、ハイブリッドシステムの構成を簡略化することができる。したがって、マイクロハイブリッドシステムは、システム構成を簡略化することができるという点でも有利である。
【００５４】
しかし、上述したように、従来のマイクロハイブリッドシステムは、モータからの逆起電圧によりバッテリが故障することを防止するために、低出力のモータを使用し、かつ、モータによる駆動アシストを行わなかった。このため、従来のマイクロハイブリッドシステムでは、低回転域での高トルクによる駆動アシストと高回転域での同期駆動を両立することができなかった。
【００５５】
そこで、本発明者は、ロータの低回転域で大トルクを実現でき、かつ、ロータの高回転域での逆起電圧が低くなるモータについて鋭意検討した結果、最大トルク発生時のリラクタンストルクが磁気トルク以上となるモータは、このような条件をみたすことを見出した。ここで、リラクタンストルクは、ステータの回転磁界による極とロータの突極との吸引力だけによって生ずるトルクである。一方、磁気トルクは、ステータの回転磁界の極とロータの永久磁石の磁極との吸引及び反発によって発生するトルクである。最大トルク発生時のリラクタンストルクが磁気トルク以上となるモータは、例えば永久磁石リラクタンスモータ（Ｐｅｒｍａｎｅｎｔ−ｍａｇｎｅｔ  Ｒｅｌｕｃｔａｎｃｅ  Ｍｏｔｏｒ）が挙げられる。以下、永久磁石リラクタンスモータを単に「ＰＲＭ」とも称する。ＰＲＭでは、最大トルク発生時のリラクタンストルクと磁気トルクとの比は例えば６：４〜５：５となる。
【００５６】
図５は、ＰＲＭと他のモータとの特性を対比して示すグラフである。具体的には、図５に示すグラフＬ１０は、ＰＲＭの回転数と逆起電圧との対応関係を定性的に示すグラフである。グラフＬ１１は、ＩＰＭ（Ｉｎｔｅｒｉｏｒ  Ｐｅｒｍａｎｅｎｔ  Ｍａｇｎｅｔ）モータの回転数と逆起電圧との対応関係を示すグラフである。グラフＬ１２は、ＳＰＭ（Ｓｕｒｆａｃｅ  Ｐｅｒｍａｎｅｎｔ  Ｍａｇｎｅｔ）モータの回転数と逆起電圧との対応関係を対比して示す。
【００５７】
ここで、ＳＰＭモータ及びＩＰＭモータは、従来のハイブリッドシステムに汎用されるモータである。ＳＰＭモータは、磁気トルクのみによってロータを回転させるモータであり、ＩＰＭモータは、最大トルク発生時のリラクタンストルクと磁気トルクとの比が３：７程度となるモータである。すなわち、いずれのモータも、最大トルク発生時にリラクタンストルクが発生しないか、またはリラクタンストルクよりも磁気トルクの方が大きくなる。
【００５８】
ＳＰＭモータ及びＩＰＭモータは、低回転域で大トルクを実現できる。しかし、図５に示すように、これらのモータは、高回転域での逆起電圧が非常に高くなる。この逆起電圧は、これらのモータに含まれる永久磁石によるものである。
【００５９】
一方、ＰＲＭは、低回転域で大トルクを実現することができる。さらに、ＰＲＭは、低回転域での大トルクを、ＳＰＭモータ及びＩＰＭモータよりも小さい電流で実現することができる。さらに、ＰＲＭは、高回転域での逆起電圧がＳＰＭモータ及びＩＰＭモータに比べて非常に低い。この理由として、ＰＲＭでは、最大トルク発生時のリラクタンストルクが磁気トルク以上となることが挙げられる。すなわち、ＰＲＭでは、最大トルク発生時のリラクタンストルクが磁気トルク以上となるので、高回転域であっても永久磁石による磁気トルクの影響が少ない。このため、ＰＲＭは、高回転域での逆起電圧がＳＰＭモータ及びＩＰＭモータに比べて非常に低くなると考えられる。
【００６０】
したがって、例えば耐電圧がＶ１となるバッテリ及びＳＰＭモータを有するハイブリッドシステムは、ＳＰＭモータのロータを回転数ｒ１までしか回転させることができない。ＳＰＭモータをそれ以上回転させると逆起電圧がバッテリの耐電圧を超えるからである。同様に、耐電圧がＶ１となるバッテリ及びＩＰＭモータを有するハイブリッドシステムは、ＩＰＭモータのロータを回転数ｒ２までしか回転させることができない。これに対し、耐電圧がＶ１となるバッテリ及びＰＲＭを有するハイブリッドシステムは、ＰＲＭのロータを回転数ｒ３まで回転させることができる。したがって、ＰＲＭは、バッテリの耐電圧が低い場合であっても、低回転域での大トルクを実現でき、かつ、ＳＰＭモータ及びＩＰＭモータよりも高回転域までロータを回転させることができる。
【００６１】
さらに、ＰＲＭは、ＳＰＭモータ及びＩＰＭモータに比べて小型、軽量であるという特性も有する。すなわち、ＰＲＭは、単位体積及び単位質量当りのトルク及び出力（すなわちトルク密度及び出力密度）が大きい。また、ＰＲＭは、エンジンの出力軸（本実施形態ではクランクシャフト）の減速時に発電機としても機能する。すなわち、ＰＲＭを有するハイブリッドシステムは、ＰＲＭから回生電力を回収することもできる。ＰＲＭは、クランクシャフトが低回転域で減速する際、高回転域で減速する際のいずれにおいても、発電機として機能する。
【００６２】
このように、最大トルク発生時のリラクタンストルクが磁気トルク以上となるモータ（以下、「高リラクタンストルクモータ」とも称する）は、低回転域での大トルクを実現でき、かつ、ＳＰＭモータ及びＩＰＭモータよりも高回転域までロータを回転させることができる。さらに、高リラクタンストルクモータは、ＳＰＭモータ及びＩＰＭモータに比べて非常に小さい。さらに、高リラクタンストルクモータを有するハイブリッドシステムは、クランクシャフトの減速時に回生電力を回収することができる。
【００６３】
なお、自動車に適用されるモータとして、ＳＲＭ（Ｓｗｉｔｃｈｅｄ  Ｒｅｌｕｃｔａｎｃｅ  Ｍｏｔｏｒ）、及びＩＭ（Ｉｎｄｕｃｔｉｏｎ  Ｍｏｔｏｒ）が知られているが、これらのモータは回生を行うことができない。
【００６４】
本発明者は、上記の知見に基づき、高リラクタンストルクモータに着目し、本実施形態に係るハイブリッドシステム１０に想到した。以下、本実施形態に係るハイブリッドシステム１０について説明する。
【００６５】
＜２．ハイブリッドシステムの構成＞
次に、図１〜図３に基づいて、本実施形態に係るハイブリッドシステム１０の構成について説明する。
【００６６】
図１及び図２に示すように、ハイブリッドシステム１０は、自動車に搭載されるいわゆるマイクロハイブリッドシステムであり、バッテリ２０と、モータ３０と、ＥＣＵ（Ｅｎｇｉｎｅ  Ｃｏｎｔｒｏｌ  Ｕｎｉｔ）（制御部）４０〜４３と、インバータ５０と、エンジン６０と、ギアボックス７０と、燃料タンク１００と、ブレーキ１２０とを備える。
【００６７】
エンジン６０、ギアボックス７０、燃料タンク１００、及びブレーキ１２０は特に制限されず、従来のものを任意に適用できる。概略的には、エンジン６０は、クランクシャフト（出力軸）６１と、クランクシャフトを保持するベアリング６２と、クランクシャフトを回転させる駆動機構（例えばシリンダ、ピストン、コンロッド、点火プラグ、カムシャフト等）とを備える。ギアボックス７０は、クランクシャフト６１の一方の端部に連結され、カムシャフトから伝達されるトルク及び回転数を内部のギア７１によって変換し、車輪１３０に伝達する。燃料タンク１００は、ＥＣＵ４１による制御により、エンジン６０に燃料を供給する。ブレーキ１２０は、ＥＣＵ４３による制御により、車輪１３０を制動する。
【００６８】
バッテリ２０は、いわゆる低電圧バッテリである。バッテリ２０の電圧は例えば３０〜６０Ｖである。バッテリ２０の電圧を６０Ｖ以下とすることで、上述したように、バッテリ２０を小型化、低コスト化することができ、かつ、ハイブリッドシステム１０全体の構成も簡略化される。バッテリ２０の耐電圧は、バッテリ２０の電圧と略同一である。したがって、バッテリ２０の耐電圧は低い。
【００６９】
モータ３０は、高リラクタンストルクモータである。高リラクタンストルクモータとしては、例えばＰＲＭが挙げられる。上述したように、モータ３０は、低回転域で大トルクを実現でき、かつ、高回転域での逆起電圧が小さい。したがって、モータ３０は、バッテリ２０のような低電圧バッテリと接続された場合であっても、低回転域で大トルクを実現でき、かつ、ロータを高回転域まで回転させることができる。すなわち、モータ３０は、低回転域での大トルク及び高回転域でのエンジンとの同期運転とを両立することができる。また、モータ３０は、低回転域での減速時には、クランクシャフト６１から大きな減速トルクが作用した場合であっても、回生電力をバッテリ２０に供給することができる。
【００７０】
モータ３０は、このような特性を有するので、ＥＣＵ４０による制御により以下に列挙する仕事を行う。すなわち、モータ３０は、エンジン６０が停止している際に、クランクシャフト６１を回転させることで、エンジンを始動させる。このようなエンジン始動には、アイドルストップ後のエンジン再始動も含まれる。また、モータ３０は、クランクシャフト６１が低回転域で回転する際に大トルクによりクランクシャフト６１の回転をアシストする（すなわち、クランクシャフト６１の回転方向と同一方向のトルクをクランクシャフト６１に供給する）。
【００７１】
また、モータ３０は、クランクシャフト６１が中回転域及び高回転域で回転する際にクランクシャフト６１の回転をアシストする。ただし、クランクシャフト６１に与えるトルクは低回転域でのトルクよりも小さい。したがって、モータ３０は、クランクシャフト６１の中回転域及び高回転域での回転時にクランクシャフト６１と同期して駆動する。また、モータ３０は、クランクシャフト６１が低回転域、中回転域、及び高回転域のいずれの領域で減速する場合であっても、発電機として機能し、回生電力をバッテリ２０に供給する。ここで、モータ３０は、低回転域での減速時には、クランクシャフト６１から大きな減速トルクが作用した場合であっても、回生電力をバッテリ２０に供給する。
【００７２】
モータ３０は、図２及び図３に示すように、ロータ３１と、ステータ３２とを備える。ロータ３１は、突極及び永久磁石を有する円筒状の部材である。ステータ３２は、ロータ３１の周面を覆う円筒状の部材であり、コイルを備える。モータ３０では、ステータ３２のコイルに電流が流れることによってリラクタンストルク及び磁気トルクが発生し、これらのトルクによってロータ３１が回転する。最大トルク発生時のリラクタンストルクは磁気トルク以上となる。例えば、最大トルク発生時のリラクタンストルクと磁気トルクとの比は６：４〜５：５となる。また、モータ３０の出力は、例えば７ｋＷ程度となる。なお、モータ３０は、低回転域での大トルクと高回転域での同期運転とが両立可能であれば、その出力は特に制限されない。
【００７３】
また、ロータ３１は、クランクシャフト６１に直結されている。具体的には、クランクシャフト６１の他方の端部（ギアボックス７０が連結されていない端部）にはクランクシャフトプーリ６３が設けられており、このクランクシャフトプーリ６３にロータ３１が連結されている。より具体的には、図３に示すように、クランクシャフトプーリ６３にはボルト貫通用のネジ穴６３ａが複数形成され、ロータ３１のうち、ネジ穴６３ａに対向する位置にボルト貫通用のネジ穴３１ａが形成されている。そして、クランクシャフトプーリ６３及びロータ３１は、ボルト８０によって連結されている。これにより、ロータ３１はクランクシャフト６１に直結されている。また、ロータ３１の回転軸はクランクシャフト６１の回転軸に一致する。もちろん、ロータ３１とクランクシャフト６１とを直結剃る方法はこれに限られない。例えば、ロータ３１は、クランクシャフトプーリ６３を介さずにクランクシャフト６１に連結されてもよい。同様に、ステータ３２も、ボルト８０によりエンジン６０に連結されている。
【００７４】
したがって、モータ３０によりクランクシャフト６１の回転をアシストするためには、モータ３０に大トルクを発生させる必要がある。特に、エンジン始動時には非常に大きなトルクが必要になる。これに対し、モータ３０は、いわゆる高リラクタンストルクモータなので、低回転域でのトルクが大きい。したがって、モータ３０は、クランクシャフト６１に直結された場合であっても、クランクシャフト６１の回転を十分にアシストすることができる。
【００７５】
また、モータ３０はクランクシャフト６１に直結されているので、トルクを効率良くクランクシャフト６１に供給することができる。これにより、モータ３０は、例えばコールドクランキング時であってもより安定してエンジンを始動させることができる。すなわち、コールドクランキング時は、バッテリ２０の温度が極めて低くなっている（例えば氷点下３０℃程度）となっているので、バッテリ２０は非常に弱くなっている）。したがって、バッテリ２０から取り出す電流はなるべく小さいことが好ましい。これに対し、モータ３０は、低回転域での大トルクを小さい電流で実現でき、かつ、モータ３０のトルクは効率良くクランクシャフト６１に伝達される。したがって、モータ３０は、少量の電流しか供給されない場合であっても大トルクをクランクシャフト６１に伝達することができるので、コールドクランキング時であっても、安定してエンジンを始動させることができる。
【００７６】
なお、モータ３０のロータ３１は、ベルト及びギアを介してクランクシャフト６１に連結されてもよい。従来のマイクロハイブリッドシステムは、モータのロータとクランクシャフトとをベルト及びギアを介して接続していた。モータの出力が小さいので、モータのロータとクランクシャフトとを直結しても、例えばエンジン始動に必要なトルクをクランクシャフトに供給することができないからである。したがって、モータ３０のロータ３１をベルト及びギアを介してクランクシャフト６１に連結することによって、従来のマイクロハイブリッドシステムを容易に本実施形態に係るハイブリッドシステム１０に置き換えることができる。
【００７７】
ただし、この場合、ベルトによる伝達ロスが発生しうるので、特にコールドクランキング時の安定性が落ちる可能性がある。また、トルクの伝達速度も落ちる。したがって、モータ３０のロータ３１はクランクシャフト６１に直結されていることが好ましい。直結によって、モータ３０により生じる振動を抑える制振制御も可能になる。
【００７８】
さらに、図２に示すように、モータ３０は、ギアボックス７０とは反対側に設けられている。したがって、本実施形態では、エンジン６０及びギアボックス７０の連結機構を大きく改変することなく、モータ３０をエンジン６０に取り付けることができる。すなわち、本実施形態に係るハイブリッドシステム１０は、既存の自動車に容易に適用することができる。
【００７９】
なお、ロータ３１はクランクシャフト６１に直結されているため、ロータ３１の永久磁石はクランクシャフト６１からの熱が伝わりやすい。しかし、モータ３０のロータ３１は、高回転域での回転時に永久磁石が熱を持ちにくいという特性を有する。この理由として、モータ３０への電流の流し方が他のモータ（例えばＳＰＭモータ及びＩＰＭモータ）と異なるということが挙げられる。したがって、ロータ３１の永久磁石は、仮にクランクシャフト６１からの熱が伝達されても、それによってクリティカルな温度（永久磁石としての特性が変動してしまう温度）になりにくい。
【００８０】
一方、ＳＰＭモータ及びＩＰＭモータは、高回転域での回転時に永久磁石が熱を持ちやすいので、仮にこれらのモータをクランクシャフト６１に直結した場合、永久磁石がクランクシャフト６１から伝わる熱によってクリティカルな温度になりやすい。したがって、これらのモータをクランクシャフト６１に直結することは容易でない。
【００８１】
さらに、モータ３０は軽量なので、ロータ３１が回転する際にクランクシャフト６１に伝わる振動が低減される。このため、ベアリング６２の強度も抑えることができる。したがって、本実施形態では、ベアリング６２のコストも低減することができる。なお、ＳＰＭモータ及びＩＰＭモータはモータ３０よりも重いので、仮にこれらのモータをクランクシャフト６１に直結する場合、ベアリング６２の強度を大きくする必要がある。すなわち、ベアリング６２のコストが高くなる。したがって、この点においても、これらのモータをクランクシャフト６１に直結することは容易でない。
【００８２】
さらに、モータ３０は小型なので、クランクシャフト６１への直結が可能になる。すなわち、エンジン６０周辺の空間は非常に狭い。しかし、モータ３０は小型なので、このような狭い空間内であっても、容易に配置することができる。これに対し、ＳＰＭモータ及びＩＰＭモータは大型なので、エンジン６０周辺の狭い空間に配置することは容易でない。したがって、この点においても、これらのモータをクランクシャフト６１に直結することは容易でない。
【００８３】
ＥＣＵ４１は、ハイブリッドシステム１０全体の制御を行う。例えば、ＥＣＵ４１は、ユーザからエンジン始動要求があった場合（例えば、イグニッションスイッチが操作された場合、アイドルストップ後にアクセルペダルが踏まれた場合）には、ＥＣＵ４０にエンジン始動要求を行う。また、ＥＣＵ４１は、エンジン始動後は、燃料タンク１００からエンジン６０に燃料を供給することでエンジン６０を駆動する。さらに、ＥＣＵ４１は、エンジン駆動中は、エンジン回転数（クランクシャフト６１の回転数）をモニタし、その結果に関するエンジン駆動情報をＥＣＵ４０に出力する。また、ＥＣＵ４１は、車速をモニタし、車速がゼロ、すなわち自動車が停止した場合には、エンジン６０を停止する（すなわち、アイドルストップを行う）。さらに、ＥＣＵ４１は、ＥＣＵ４３からブレーキ駆動情報が与えられた場合には、燃料タンク１００からの燃料供給をストップするとともに、ＥＣＵ４０に回生要求を行う。
【００８４】
ＥＣＵ４０は、ＥＣＵ４１による制御により、インバータ５０を介してモータ３０の制御を行う。具体的には、ＥＣＵ４０は、ＥＣＵ４１からエンジン始動要求を受けた際に、モータ３０を用いてエンジンを始動させる。さらに、ＥＣＵ４０は、エンジン駆動情報に基づいてモータ３０を制御する。具体的には、ＥＣＵ４０は、クランクシャフト６１が低回転域で回転する際にバッテリ２０からモータ３０に電力を供給することで、モータ３０に大トルク（クランクシャフト６１の回転方向と同一方向のトルク）を発生させる。そして、ＥＣＵ４０は、この大トルクによりクランクシャフト６１の回転をアシストする。
【００８５】
さらに、ＥＣＵ４０は、クランクシャフト６１が中回転域、及び高回転域で回転する際に、バッテリ２０からモータ３０に電力を供給することで、モータ３０にトルク（クランクシャフト６１の回転方向と同一方向のトルク）を発生させる。そして、ＥＣＵ４０は、このトルクによりクランクシャフト６１の回転をアシストする。すなわち、ＥＣＵ４０は、クランクシャフト６１が高回転域で回転している際にも、モータ３０をクランクシャフト６１に同期して駆動させることができる。
【００８６】
さらに、ＥＣＵ４０は、クランクシャフト６１が低回転域、中回転域、及び高回転域のいずれの領域で回転する場合であっても、モータ３０を発電機として機能させる。すなわち、ＥＣＵ４０は、ＥＣＵ４１から回生要求が与えられた際に、クランクシャフト６１の回転数にかかわらず、モータ３０を発電機として機能させ、モータ３０から発生した回生電力をバッテリ２０に供給する。
【００８７】
ＥＣＵ４２は、ギア７１の動作を制御する。ＥＣＵ４３は、ユーザがブレーキペダルを踏んだ際に、ブレーキ１２０を駆動させるとともに、ブレーキ駆動情報をＥＣＵ４１に出力する。
【００８８】
＜３．モータの特性＞
次に、図４に基づいて、本実施形態で使用されるモータ３０の特性について詳細に説明する。グラフＬ１は、ロータ３１の回転数とその回転数で出力可能な最大トルクを示す。Ｔｍａｘはロータ３１が１０秒間連続して出力可能な最大トルクを示す。グラフＬ２は、ロータ３１の回転数とその回転数でロータ３１に入力可能な減速トルクの最大値を示す。−Ｔｍａｘはロータ３１に１０秒間連続して入力可能な最大減速トルクを示す。なお、図４では、減速トルクを負の値で示した。ｒｍａｘは、ロータ３１の最大回転数を示す。最大回転数は、クランクシャフト６１の最大回転数以上であることが好ましい。これにより、クランクシャフト６１の全回転域に対してモータ３０が仕事をすることができる。
【００８９】
領域Ｂ１は、エンジン始動時のモータ特性を示す。すなわち、モータ３０は、エンジン始動時には、クランクシャフト６１に対してＴｍａｘよりも大きなトルクを０．５〜２秒程度供給することができる。領域Ｂ２は中回転域及び高回転域で回生を行う領域である。
【００９０】
モータ３０は、グラフＬ１〜Ｌ２で囲まれる領域Ａ内のあらゆる領域、及び領域Ｂ１で仕事をすることができる。すなわち、領域Ａのうち、トルクが０以上となる領域では、モータ３０のロータ３１は、クランクシャフト６１と同期して回転することができ、かつ、クランクシャフト６１の回転をアシストすることができる。すなわち、ロータ３１は、クランクシャフト６１の回転方向と同一方向のトルクをクランクシャフト６１に供給することができる。
【００９１】
また、領域Ａのうち、トルクが０未満となる領域では、モータ３０のロータ３１は、クランクシャフト６１と同期して回転することができ、かつ、発電機として機能することができる。すなわち、モータ３０は、回生電力を回収し、バッテリ２０に供給することができる。
【００９２】
なお、領域Ｂ１、Ｂ２は、従来のマイクロハイブリッドシステムにおいてモータが仕事を行う領域でもある。すなわち、従来のマイクロハイブリッドシステムでは、上述したように、モータは、エンジン始動、及び中回転域及び高回転域での回生電力回収しか行うことができなかった。
【００９３】
これに対し、モータ３０は、グラフＬ１〜Ｌ２で囲まれる領域Ａ内のあらゆる領域、及び領域Ｂ１で仕事をすることができる。したがって、モータ３０は、エンジンを始動することができ、クランクシャフト６１が低回転域で回転する際に大トルクでクランクシャフト６１の回転をアシストすることができる（領域Ａ１及び領域Ａ１よりも大トルクの領域を参照）。さらに、モータ３０は、クランクシャフト６１が中回転域及び高回転域で回転する際に、クランクシャフト６１の回転をアシストすることができる。すなわち、モータ３０は、クランクシャフト６１が中回転域及び高回転域で回転する際であってもクランクシャフト６１と同期して駆動することができる。さらに、モータ３０は、低回転域、中回転域、及び高回転域のあらゆる領域において発電機として機能する。さらに、モータ３０は、クランクシャフト６１が高回転域での減速トルクよりも大きな減速トルクにより低回転域で減速している際にも、発電機として機能する（領域Ａ２参照）。
【００９４】
以上により、本実施形態に係るハイブリッドシステム１０は、低電圧のバッテリ２０に接続され、最大トルク発生時のリラクタンストルクが磁気トルク以上であり、かつ、ロータ３１がエンジン６０のクランクシャフト６１に連結されたモータ３０を制御する。これにより、ハイブリッドシステム１０は、低回転域での高トルクによる駆動アシストと高回転域での同期駆動を両立することが可能となる。
【００９５】
さらに、ハイブリッドシステム１０では、バッテリ２０の電圧は６０Ｖ以下であるので、バッテリ２０の取り扱いが容易となり、かつ、ハイブリッドシステム１０の構成が簡略化される。なお、この場合であっても、モータ３０は上記の構成を有するので、低回転域での高トルクによる駆動アシストと高回転域での同期駆動を両立することが可能となる。
【００９６】
さらに、ハイブリッドシステム１０は、クランクシャフト６１が低回転域で回転している際、及び高回転域で回転している際のいずれにおいても、クランクシャフト６１の回転をアシストすることができる。
【００９７】
さらに、ハイブリッドシステム１０は、クランクシャフト６１が低回転域で回転している際には、クランクシャフト６１が高回転域で回転している際にクランクシャフト６１に供給するトルクよりも大きなトルクをクランクシャフト６１に供給する。したがって、ハイブリッドシステム１０は、低回転域でより力強いアシストを行うことができる。
【００９８】
さらに、ハイブリッドシステム１０は、クランクシャフト６１が低回転域で減速している際、高回転域で減速している際のいずれにおいても、モータ３０から回生電力を回収することができる。
【００９９】
さらに、ハイブリッドシステム１０は、クランクシャフト６１が高回転域での減速トルクよりも大きな減速トルクにより低回転域で減速している際に、モータ３０から回生電力を回収する。したがって、ハイブリッドシステム１０は、低回転域でより効率良く回生電力を回収することができる。
【０１００】
さらに、ロータ３１はクランクシャフト６１に直結されているので、ハイブリッドシステム１０は、ロータ３１からクランクシャフト６１に効率良くトルクを供給することができ、かつ、回生電力を効率良く回収することができる。
【０１０１】
さらに、ロータ３１は、クランクシャフト６１の両端部のうち、ギアボックス７０が連結される端部と反対側の端部に直結されるので、既存のシステムに大きな変更を加えることなく、ハイブリッドシステム１０を自動車に導入することができる。
【０１０２】
さらに、ハイブリッドシステム１０は、エンジン始動を行う。ここで、上述したように、ロータ３１とクランクシャフト６１とは直結されているので、エンジン始動時にモータ３０のトルクを効率良くクランクシャフト６１に伝達することができる。すなわち、ハイブリッドシステム１０は、より小さい電流で大きなトルクをクランクシャフト６１に伝達することができる。これにより、ハイブリッドシステム１０は、例えばコールドクランキング時のエンジン始動を安定して行うことができる。
【０１０３】
さらに、ハイブリッドシステム１０は自動車に搭載されるので、ハイブリッドシステム１０は、自動車を効率良く駆動することができる。
【０１０４】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１０５】
例えば、上記実施形態では、本発明に係るモータ制御システムを自動車のハイブリッドシステムに適用したが、エンジンとモータとを併用するシステムであれば、どのようなシステムにも本発明を適用することができる。
【符号の説明】
【０１０６】
１０      ハイブリッドシステム
２０      バッテリ
３０      モータ
３１      ロータ
３２      ステータ
４０〜４３      ＥＣＵ
５０      インバータ
６０      エンジン
６１      クランクシャフト
７０      ギアボックス
１００    燃料タンク
１２０    ブレーキ
１３０    車輪
【図１】
2014151700.tif 000003
【図２】
2014151700.tif 000004
【図３】
2014151700.tif 000005
【図４】
2014151700.tif 000006
【図５】
2014151700.tif 000007